(57)【特許請求の範囲】
【請求項１】
インクを収容したインク収容管と、インク収容管に取り付けられた筆記チップとからなるリフィールの筆記チップが、軸筒の先端孔から出没可能なボールペンにおいて、
前記筆記チップの筆記ボール周辺にはホットメルトが取り付けられており、軸筒の先端孔前方角部に面取り部又はカーブ部を設けたことを特徴とするボールペン。
【発明の詳細な説明】
【０００１】
【発明の属する技術分野】
本発明は、筆記チップの筆記ボール周辺にホットメルトを設けたボールペンに関する。
【０００２】
【従来の技術】
従来、様々なタイプのボールペンが提供されている。ボールペンには、大別してキャップ式筆記具と、軸筒の先端から筆記チップが出没するいわゆるノック式筆記具や繰り出し式筆記具がある。キャップ式筆記具の場合、使用の都度ユーザーがするキャップにより、筆記チップ先端からの空気の巻き込みによる逆流やインクの蒸発等を防止している。
しかし、ノック式筆記具や繰り出し式筆記具の場合、容易に筆記チップを出没できる点に重点がおかれているため、キャップによって逆流防止やインクの蒸発防止を行うことはできない。キャップを取り付けてしまうと、実質上キャップ式筆記具と変わらなくなってしまう。
このため、通常のノック式筆記具や繰り出し式筆記具では、ペン先は常に外気に接した状態となっている。
販売の際には、この外気に接した状態で販売されることになるが、この場合、店頭における保管状態によっては筆記チップ先端からインクが漏れだしたり、筆記チップ先端から空気を巻き込み逆流が発生したり、インクが蒸発してしまったりという問題を有している。このため、これらの問題を筆記チップの先端にホットメルトを設けることで解決を図っている。
しかし、ノック式筆記具や繰り出し筆記具は、店頭において実際にその作動などをユーザーにより確かめられることが多く、その作動の際に、図４に示すように、ホットメルト２が軸筒４の鋭角に形成された先端孔前方角部８に当たり、ホットメルト２がはずれてしまったり、浮き上がってしまい、この結果、筆記チップ３先端から空気を巻き込み、逆流を起こしてしまうという問題等を依然として有していた。
【０００３】
【発明が解決しようとする課題】
そこで、本発明は上記の問題を解決することを課題としており、リフィールの出没操作を行ったとしても、ホットメルトの外れや浮きを防止し、逆流等を防止したボールペンを提供することを課題とする。
【０００４】
【課題を解決するための手段】
上記の課題を解決するために、インクを収容したインク収容管と、インク収容管に取り付けられた筆記チップとからなるリフィールの筆記チップが、軸筒の先端孔から出没可能なボールペンにおいて、前記筆記チップの筆記ボール周辺にはホットメルトが取り付けられており、軸筒の先端孔前方角部に面取り部又はカーブ部を設けることとした。
ここで、ホットメルトとはインクの揮発や逆流を防止するため利用するものであり、筆記チップの筆記ボール周辺を覆う形で設けられる。一般には、樹脂性のものが用いられる。
【０００５】
尚、面取り部とは面と面との交わりの角に形成した斜めの面のことをいう。
軸筒の先端孔から筆記チップを出没可能とする具体的な手段としては、例えば以下の実施の形態で示す手段の他に、軸筒の内部に、スプリングと回転子を設けこの回転子を利用して筆記チップを出没させる手段や、軸筒にスプリングと係止孔とを設けるとともにノック部には係止孔に嵌入する係止突起を設け、係止孔および係止突起を係合及び係合解除することで筆記チップを出没させる手段などがある。
【０００６】
筆記チップとしては、以下の実施の形態で示すような切削により形成した砲弾型のものに限られず、パイプを加工することで形成したチップであってもよく、またその他の様々なチップを使用することができる。
【０００７】
軸筒の先端孔前方角部に面取り部又はカーブ部を設けることで、筆記チップが軸筒内に没しよう（収納）とする際に、ホットメルトが先端孔後方角部に引っかかりにくくなり、その結果ホットメルトの浮きや、はずれを防止できるようになる。
【０００８】
【発明の実施の形態】
以下、発明の実施の形態を図面に基づいて説明する。
図１は、本発明の第１の実施形態を示す縦断面図である。軸筒４の内部には、２本のリフィール１２が収容されている。リフィール１２は先端に筆記チップ３が取り付けられており、リフィール１２内には、インク５と、その後方に設けられたインクの逆流等を防止するフォロアー１３が設けられている。筆記チップ３の先端には、ホットメルト２が取り付けられており、インク５の蒸発や逆流を防止する。軸筒４の前方の周囲には、グリップ１１が設けられており、滑り等を防止する。
【０００９】
各リフィール１２は、出没可能となっており、その出没動作を以下に説明する。
軸筒４の後端には、クリップ１５と一体となった回転部１６が設けられており、この回転部１６を回転させる。回転部１６は、軸筒４内部の円筒カム（図示省略）を回転させ、円筒カムの動きに伴い摺動コマ１７が上下に動く。摺動コマ１７にはリフィール１２が取り付けられており、摺動コマ１７の上下動と同期して動くことになる。この結果、筆記チップが軸筒４から出没するようになる。摺動コマ１７と回転部１６との間には、スプリング１４が設けられており、このスプリング１４がリフィールを引き込む作用を果たす。
【００１０】
図２は、図１に示した第１実施形態の要部拡大縦断面図を示している。軸筒４の先端には、ストレート状の先端孔１が設けられており、この先端孔１を筆記チップ３及びホットメルト２が上下動する。尚、本明細書において上方及び前方とは筆記チップ側といい、下方及び後方とは回転部１６側という。
軸筒４の内壁は、上方に向かい縮径となっており、筆記チップ３が軸筒４から出るときのガイドとなる。
尚、先端孔前方角部８の後方に設けられた先端孔後方角部９にも面取り部又はカーブ部を設けることが好ましい。筆記チップ３が軸筒４から出るときに、ホットメルト２が引っかかることを防止し得、この場合もホットメルトの浮きやはずれを防止し得るからである。
【００１１】
筆記チップ３の先端には、筆記ボール６が回転可能に抱持されており、また、インク５を筆記ボール６へ誘導するインク孔７が軸方向に設けられている。筆記チップ３は前方がテーパー状に形成されており、このテーパー部の半分の位置までホットメルトで覆われている。このため、筆記ボール６周辺が覆われることになる。
先端孔１の先端である先端孔前方角部８には、面取り部１０が設けられており、この面取り部１０があることで、筆記チップ３が軸筒４内に収納される際に、ホットメルト２の浮き等を防止する。
【００１２】
図３は、本発明の第２の実施形態を示す要部拡大縦断面図である。図２と異なる点は、面取り部１０のかわりに、円弧状のカーブ部１９を設けた点である。このカーブ部１９は正円の弧に限られず、楕円の弧であってもよい。
【００１３】
【発明の効果】
本発明のボールペンは上記の通りであり、軸筒の先端孔前方角部に面取り部又はカーブ部を設けることにより、リフィールの出没途中でホットメルトが軸筒の先端孔前方角部にひっかかりにくくなる。このため、リフィールの出没操作において、ホットメルトの外れや浮きを防止し、より逆流やインクの蒸発を防止することができる。
【図面の簡単な説明】
【図１】本発明の第１の実施形態を示す縦断面図である。
【図２】図１に示した第１実施形態の要部拡大縦断面図である。
【図３】本発明の第２の実施形態を示す要部拡大縦断面図である。
【図４】従来の技術を示す要部拡大縦断面図である。
【符号の説明】
１  先端孔
２  ホットメルト
３  筆記チップ
４  軸筒
５  インク
６  筆記ボール
７  インク孔
８  先端孔前方角部
９  先端孔後方角部
１０  面取り部
１１  グリップ
１２  リフィール
１３  フォロアー
１４  スプリング
１５  クリップ
１６  回転部
１７  摺動コマ
１８  インク収容管
１９  カーブ部
【図１】
0003960818.tif 000002
【図２】
0003960818.tif 000003
【図３】
0003960818.tif 000004
【図４】
0003960818.tif 000005